(57)【要約】【課題】映像源からの焦点距離が短く、大きな入射角で映像光が投射される短焦点型の映像源が用いられた場合にも、映像源から前記反射スクリーンへ照射される映像光の反射スクリーン上で反射する映像光の輝度の測定毎のバラつきが小さく、精度の高い測定が可能な反射スクリーンの光学機能の測定冶具を提供することにある。【解決手段】  映像源４から投射された映像光を反射させて観察可能に表示する反射スクリーン３の光学機能の測定冶具１であって、前記映像源４から前記反射スクリーン３へ照射される映像光の前記反射スクリーン３上で反射する映像光の輝度を測定する測定位置５）の近傍において、前記反射スクリーン３を前記光学機能の測定冶具１の設置面１６に密着させる反射スクリーン密着機構１４を有することを特徴とする反射スクリーンの光学機能の測定冶具とする。【選択図】図２
2015200515.tif 000002
【特許請求の範囲】
【請求項１】
映像源（４）から投射された映像光を反射させて観察可能に表示する反射スクリーン（３）の光学機能の測定冶具（１）であって、
前記映像源（４）から前記反射スクリーン（３）へ照射される映像光の前記反射スクリーン（３）上で反射する映像光の輝度を測定する測定位置（５）の近傍において、
前記反射スクリーン（３）を前記光学機能の測定冶具（１）の設置面（１６）に密着させる反射スクリーン密着機構（１４）を有することを特徴とする反射スクリーンの光学機能の測定冶具。
【請求項２】
反射スクリーン密着機構（１４）は、床面に対して垂直方向に連なる冶具であり、測定位置（５）に対して、前記反射スクリーン（３）の中央（Ｃ−Ｃ）とは反対側に設けられていることを特徴とする請求項１に記載の反射スクリーンの光学機能の測定冶具。
【請求項３】
反射スクリーン密着機構（１４）の反射スクリーン（３）と接触する部位である反射スクリーン接触部（１５）は、エントロピー弾性体にて形成されていることを特徴とする請求項１、または、請求項２に記載の反射スクリーンの光学機能の測定冶具。
【発明の詳細な説明】
【技術分野】
【０００１】
本発明は、映像源から投射された映像光を反射させて観察可能に表示する反射スクリーンの光学機能の測定冶具に関するものである。特に短焦点型の映像源向けの反射スクリーンでの測定に好適な光学機能の測定冶具に関するものである。
【背景技術】
【０００２】
近年、反射スクリーンに対して至近距離から比較的大きな入射角度で映像光を投写して大画面表示を実現する映像源である短焦点型の映像投射装置（プロジェクタ）等が広く利用されており、このような短焦点型の映像源によって投射された映像光を良好に表示するための反射スクリーン等も開発されている。このような短焦点型の映像源は、反射スクリーンに対して上方又は下方から従来の映像源よりも大きな入射角度で映像光を投射することができ、反射スクリーンを用いた映像表示システムの省スペース化等に寄与している。
【０００３】
このような短焦点型の映像源によって投射された映像光を良好に表示するために、単位レンズが複数配列されて形成されたリニアフルネルレンズ形状やサーキュラーフルネルレンズ形状を有するレンズ層の表面に反射層を形成した反射スクリーンなどが様々に開発されている。
【０００４】
特許文献１、特許文献２に記載されているように、このようなさまざまな反射スクリーンの重要な評価の方法として、ゲイン又は利得と呼ばれる値（以下ゲインと称する）、コントラスト比、視野角特性などが測定される。これらの値は、いずれも映像源４から前記反射スクリーン３へ照射される映像光の反射スクリーン３上で反射する映像光の輝度及び入射される映像光の照度を測定し、算出される値である。
【０００５】
このよう、反射スクリーンの特性を正確に評価するためには、映像源４から前記反射スクリーン３へ照射される映像光の反射スクリーン３上で反射する映像光の輝度を正確に測定することを欠かすことができない。
【先行技術文献】
【特許文献】
【０００６】
【特許文献１】特開２０１２−０７３３６３号公報
【特許文献２】特開２０１４−０１０４０４号公報
【発明の概要】
【発明が解決しようとする課題】
【０００７】
従来、比較的焦点距離が長く、反射スクリーンに対して垂直に近い角度で映像光が照射される映像源であった場合には、映像源から反射スクリーンへ照射される映像光の反射スクリーン上で反射する映像光の輝度は、測定毎に安定した値が得られてきた。
【０００８】
しかしながら、従来の映像源より焦点距離が短く、大きな入射角で映像光が投射される短焦点型の映像源が用いられた場合には、映像源から前記反射スクリーンへ照射される映像光の反射スクリーン上で反射する映像光の輝度は、測定毎のバラつきが大きく、反射スクリーンの正確な性能評価を困難なものとしてきた。
【０００９】
本発明で解決しようとする課題は、映像源からの焦点距離が短く、大きな入射角で映像光が投射される短焦点型の映像源が用いられた場合にも、映像源から前記反射スクリーンへ照射される映像光の反射スクリーン上で反射する映像光の輝度の測定に際して、測定毎のバラつきが小さく、精度の高い測定が可能な反射スクリーンの光学機能の測定冶具を提供することにある。
【課題を解決するための手段】
【００１０】
本発明は、以下の解決手段により、前記課題を解決する。なお理解を容易にするために、本発明の実施形態に対応する符号を付して説明するが、これらに限定されるものではない。
【００１１】
請求項１の発明は、映像源４から投射された映像光を反射させて観察可能に表示する反射スクリーン３の光学機能の測定冶具１であって、前記映像源４から前記反射スクリーン３へ照射される映像光の前記反射スクリーン３上で反射する映像光の輝度を測定する測定位置５の近傍において、前記反射スクリーン３を前記光学機能の測定冶具１の設置面１６に密着させる反射スクリーン密着機構１４を有することを特徴とする反射スクリーンの光学機能の測定冶具１である。
【００１２】
加えて本発明の請求項２は、反射スクリーン密着機構１４は、床面に対して垂直方向に連なる冶具であり、測定位置５に対して、前記反射スクリーン３の中央Ｃ−Ｃとは反対側に設けられていることを特徴とする請求項１に記載の反射スクリーンの光学機能の測定冶具１である。
【００１３】
加えて本発明の請求項３は、反射スクリーン密着機構１４の反射スクリーン３と接触する部位である反射スクリーン接触部１５は、エントロピー弾性体にて形成されていることを特徴とする請求項１、または、請求項２に記載の反射スクリーンの光学機能の測定冶具である。
【発明の効果】
【００１４】
本発明に係る反射スクリーンの光学機能の測定冶具１は、映像源４からの焦点距離が短く、大きな入射角で映像光が投射される短焦点型の映像源４が用いられた場合にも、映像源４から前記反射スクリーン３へ照射される映像光の反射スクリーン３上で反射する映像光の輝度の測定に際して、測定毎のバラつきが小さく、精度の高い測定が可能な反射スクリーンの光学機能の測定冶具である。
【図面の簡単な説明】
【００１５】
【図１】図１は、本実施形態に係る反射スクリーンの光学機能の測定冶具を説明した正面図である。
【図２】図２は、本実施形態に係る反射スクリーンの光学機能の測定冶具を説明した断面図であり、図１のＡ−Ａ断面における断面図に相当する。
【図３】図３は、反射スクリーン密着機構１４の存在しない従来の光学機能の測定冶具を説明した正面図である。
【図４】図４は反射スクリーン密着機構１４の存在しない従来の光学機能の測定冶具を説明した断面図であり、図３のＡ−Ａ断面における断面図に相当する。
【図５】図５は、本実施形態に係る反射スクリーンの光学機能の測定冶具に反射スクリーンを設置した状態での測定位置５ｅ測定時の位置関係を説明した側面図である。便宜的に５ｅ以外の測定点は省略している。
【図６】図６は、本実施形態に係る反射スクリーンの光学機能の測定冶具の第一に変形例を説明した正面図である。
【図７】図７は、反射スクリーンの測定位置の一例を説明した正面図である。
【図８】図８は、スクリーン密着機構の第一の実施形態を説明する断面図である。図８の（ａ）スクリーン密着機構を使用する前の状態を説明する断面図である、図８の（ｂ）は、スクリーン密着機構を使用した後の状態を説明する断面図である。
【図９】図９は図８のＣ、図８のＤの部分拡大図である。図９の（ａ）は図８（ａ）のＤの部分の正面図である。図９の（ｂ）は、図８（ｂ）のＣの部分の断面図であり、図９の（ａ）の断面図である。図９の（ｃ）は、図８（ｂ）のＣ部分の拡大図である。図９の（ｄ）は、図８の（ａ）のＤ部分の拡大図である。
【図１０】図１０は、スクリーン密着機構の第二の実施形態を説明する断面図である。図１０の（ａ）スクリーン密着機構を使用する前の状態を説明する断面図である、図１０の（ｂ）は、スクリーン密着機構を使用した後の状態を説明する断面図である。
【図１１】図１１は、スクリーン密着機構の第三の実施形態を説明する断面図である。図１１の（ａ）スクリーン密着機構を使用する前の状態を説明する断面図である、図１１の（ｂ）は、スクリーン密着機構を使用した後の状態を説明する断面図である。
【図１２】図１２は、図１１に示した第三の実施形態を説明する部分拡大断面図である。図１２の（ａ）は、図１１の（ａ）の部分Ａにおける部分拡大断面図である。図１２の（ｂ）は、図１１の（ｂ）の部分Ｂにおける部分拡大断面図である。
【発明を実施するための形態】
【００１６】
以下、本願発明の実施形態について、図面を用いて以下に詳しく説明する。なお、本願発明は、以下の実施形態に何ら限定されるものではなく、本願発明の目的の範囲内において、適宜変更を加えて実施することができる。なお、図面は概念図であり、説明上の都合に応じて適宜、構成要素の縮尺関係、縦横比等は誇張されていることがある。また、本明細書においては、本発明の主要部である反射スクリーンの光学機能の測定冶具１の定盤１１、スクリーン保持機構１２、反射スクリーン密着機構１４等について説明の必要に応じて記載、図示しており、実製品においては、定盤１１を床面７に保持する脚部、又は、定盤１１を壁などに保持する接合部、などが必要に応じて設けられる場合が多い。
【００１７】
また、本願発明の反射スクリーン密着機構１４を有する反射スクリーンの光学機能の測定冶具１を大量生産の生産ラインに応用する際には、定盤１１は、床面７に対して水平に固定し、上部、又は、下部に輝度計６や映像源４を設けることも可能であり、反射スクリーンを設置し、取り除く機構を設けてもよいことは言うまでもない。
【００１８】
本実施形態において、便宜的に図面に示したＸ軸方向を左右方向（特に矢印の方向を右）、Ｙ軸方向を上下（特に矢印方向を上）、Ｚ軸方向を前後（特に矢印の方向が前）呼ぶこととする。定盤を基準として、Ｚ軸の矢印方向を映像源側、若しくは、観察者側と称し、定盤を基準として、Ｚ軸の矢印方向と反対方向を背面側と称する。
【００１９】
また、正面図とは、映像源側（観察者側）から、ＸＹ平面に平行な設置面１６，若しくは、シート状の反射スクリーンを全体的かつ大局的に見た場合において、その平面方向と一致する面（ＸＹ平面に平行な面）を観察した際に得られる図面であり、言い換えれば、ＸＹ平面に平行な設置面１６，若しくは、シート状の反射スクリーンに立てた法線方向（Ｚ軸方向）から見た形状を示す図面である。
【００２０】
本実施形態では、図７に示した様に、反射スクリーン３を９等分に分割し、分割したそれぞれの中心（重心）を測定位置５ａ〜５ｉの９か所を測定する実施形態についての図面を記載している。測定位置５は、これらに限定されるものではなく評価の必要に応じて設定してやればよい。比較的小さなサイズの反射スクリーン３であれば、測定位置５は、５ａ、５ｃ、５ｅ、５ｇ、５ｉの５か所でもよいし、反射スクリーンが、非常に大きな場合は、更に測定位置を増やすことも可能である。
【００２１】
本実施形態においては、仮に一つの事例としてＬ１＝１２４５．０ｍｍ、Ｌ２＝２２１４．０ｍｍの１００インチの反射スクリーン３について例示した。図７に示した様に、反射スクリーン３を９等分に分割し、分割したそれぞれの中心（重心）を測定位置５ａ〜５ｉの９か所を測定、評価する場合を例示しており、この場合には、Ｌ３＝２０７．５ｍｍ、Ｌ４＝６２２．５ｍｍ、Ｌ５＝１０３７．５ｍｍ、Ｌ６＝３６９．０ｍｍ、Ｌ７＝１１０７．０ｍｍ、Ｌ８＝１８４５．０ｍｍ、に設定することができる。
【００２２】
測定位置５としては、特に断りがない場合は、反射スクリーン３の中心である５ｅと仮定して説明するが、そのほかの測定位置５ａ〜５ｄ、５ｆ〜５ｉについても同様に適用することが可能であることは言うまでもない。
【００２３】
＜光学機能の測定冶具＞
本実施形態における反射スクリーン３の光学機能の測定冶具１は、図１、図２、図６、図８から図１２に例示したように、映像源４から投射された映像光を反射させて観察可能に表示する反射スクリーン３の光学機能の測定冶具１であって、映像源４から反射スクリーン３へ照射される映像光の反射スクリーン３上で反射する映像光の輝度を測定する測定位置５の近傍において、反射スクリーン３を光学機能の測定冶具１の設置面１６に密着させる反射スクリーン密着機構１４を有することを特徴とする反射スクリーン３の光学機能の測定冶具１である。
【００２４】
このような光学機能の測定冶具１とすることで映像源４からの焦点距離が短く、大きな入射角で映像光が投射される短焦点型の映像源４が用いられた場合にも、映像源４から反射スクリーン３へ照射される映像光の反射スクリーン３上で反射する映像光の輝度の測定際して、測定毎のバラつきが小さく、精度の高い測定が可能な反射スクリーン３の光学機能の測定冶具１とすることが可能となる。
【００２５】
すなわち、従来の比較的焦点距離が長く、反射スクリーン３に対して垂直に近い角度で映像光が照射される映像源であった場合には、輝度は、測定毎に安定した値が得られていた。
【００２６】
これは、比較的焦点距離が長く反射スクリーン３に対して垂直に近い角度で映像光が照射していたため、数ｃｍの前後方向（Ｚ軸方向）の測定位置５のずれにより、反射スクリーン３上の測定位置５で反射する映像光の輝度が大きく変わることはなかった。また、反射スクリーン３の特性も反射スクリーン３の法線方向（Ｚ軸方向）に入射してきた映像光を反射スクリーン３の法線方向（Ｚ軸方向）に反射するように設計されていたため、反射スクリーン３上の測定位置５で反射スクリーンのたわみによるわずかに上下方向の角度に違いがあっても大きな誤差要因とはならなかった。
【００２７】
一方、短焦点型の映像源４の場合には、図５に記載したように、反射スクリーン３に対して大きな角度で映像光が入射するため、数ｃｍの前後方向（Ｚ軸方向）の測定位置５のずれにより、反射スクリーン３上の測定位置５反射スクリーン３上で反射する映像光の輝度の変化は、大きくなる。また、短焦点用の反射スクリーンは、大きな角度で入射した映像光を反射スクリーンの法線方向により多く反射するように設計されている。従って、反射光の輝度は、上下方向の角度に対する依存性が強という特性を持つため、反射スクリーン３上の測定位置５で反射スクリーンのたわみにより生じるスクリーン面での理想的な垂線に対する上下方向の角度に違いは、大きな誤差要因となる。
【００２８】
図３に、図４に示した様な、従来の光学機能の測定冶具１’にて反射スクリーン３の下部を底辺あて部１３にあて、反射スクリーンの上辺、及び左右の辺の近傍のみをスクリーン保持機構１２にて保持した場合、図４に示した様に、光学機能の測定冶具１’の定盤１１の観察者側の面である、設置面１６と反射スクリーン３の間には、隙間が生じる。この隙間は、反射スクリーンのサイズが大きくなるにつれ顕著となる。
【００２９】
従って、このような、隙間による、測定位置５の前後位置のズレ、及び、反射スクリーン３に対する変形による映像光の入射角度のズレは、映像源からの焦点距離が短く、大きな入射角で映像光が投射される短焦点型の映像源４で、短焦点用の反射スクリーンが用いられる場合には、映像源から前記反射スクリーンへ照射される映像光の反射スクリーン上で反射する映像光の輝度を測定する際の誤差要因として無視しえないことを見出した。
【００３０】
本実施形態は、映像源４から反射スクリーン３へ照射される映像光の反射スクリーン３上で反射する映像光の輝度を測定する測定位置５の近傍において、反射スクリーン３を光学機能の測定冶具１の設置面１６に密着させる反射スクリーン密着機構１４を設けることによって、映像源からの焦点距離が短く、大きな入射角で映像光が投射される短焦点型の映像源４が用いられた場合にも、映像源４から反射スクリーン３へ照射される映像光の反射スクリーン３上で反射する映像光の輝度の測定に際して、測定毎のバラつきが小さく、精度の高い測定が可能な反射スクリーンの光学機能の測定冶具１を実現した。
【００３１】
本実施形態において、反射スクリーン３の光学機能の測定冶具１は、輝度の測定時に、反射スクリーン３を設置する定盤１１を備えており、定盤１１の前面であり映像源側の面である設置面１６の前に反射スクリーン３を設置する。この際、映像源４から反射スクリーン３へ照射される映像光の反射スクリーン３上で反射する映像光の輝度を測定する測定位置５の近傍において、反射スクリーン３を前記光学機能の測定冶具１の設置面１６に密着させる反射スクリーン密着機構１４を設けている。
【００３２】
反射スクリーン密着機構１４は、例えば、定盤１１の設置面１６と反射スクリーン密着機構１４とで反射スクリーン３の厚みと等しい間隙を設け、その間隙に反射スクリーン３を設置することによって、反射スクリーン３の位置を設置面１６と密着する位置に規制する機構である。
【００３３】
このような反射スクリーン密着機構１４の機能を実現する物であればその構造は特に制限されるものではない。
【００３４】
図８〜図９に反射スクリーン密着機構１４の第一の実施形態を例示する。本実施形態においては、反射スクリーン密着機構１４は、反射スクリーン密着機構１４全体を支えるフレーム１７とフレーム１７に形成されたネジ穴１８と対応したネジ部を備え、前後に可動可能に形成された可動棒１９よりなっている。可動棒１９の設置面１６側には、反射スクリーン３を設置面１６に密着する位置に規制する反射スクリーン接触部１５が設けられている。
【００３５】
図８に記載したようにフレーム１７は、定盤１１の背面側に固定されており、ネジを締めた際(図８（ｂ）、図９（ｂ）、図９（ｃ）)に反射スクリーン接触部１５と設置面１６の間隔が反射スクリーン３と一致するように調整されている。従って、反射スクリーン３を設置してねじを締めることにより、反射スクリーン接触部１５が反射スクリーン３を設置面１６に密着する形態である。
【００３６】
また、ネジを緩めることで反射スクリーン接触部１５と設置面１６の間隔は広がり、反射スクリーン３の脱着が可能となる(図８（ａ）、図９（ｄ）)形態である。
【００３７】
更に、図１０に反射スクリーン密着機構１４の第二の実施形態を例示する。本実施形態のように、可動棒１９を設けることなく、フレーム１７自体にヒンジなどの可動部２０を設けることで、フレーム１７に直接設けた反射スクリーン接触部１５で線状に反射スクリーン３を設置面１６に密着させてもよい。
【００３８】
図１０は、フレーム１７の上部にヒンジを設けてフレーム１７がヒンジを中心に可動可能としている。反射スクリーン３を設置後にフレーム１７を下げて下部で固定することによりフレーム１７に設けた反射スクリーン接触部１５と設置面１６の間が、反射スクリーンの厚さと同じ間隙となるように作られている。フレーム１７を解放して、持ち上げることにより反射スクリーンを脱着可能とし（図１０（ａ））、反射スクリーン３を設置後にフレーム１７を下げて下部で固定することにより、反射スクリーン３は設置面１６と密着する（図１０（ｂ））形態である。
【００３９】
更に、図１１、図１２には、反射スクリーン密着機構１４の第三の実施形態を例示する。この実施形態では、ねじを利用した可動棒１９の移動に変えてフレーム１７に設けたトグルクランプ機構３１を用いて可動棒１９を前後に移動可能とした形態である。ハンドル３２を後方に押して固定ことで可動棒１９の先端に設けられた反射スクリーン接触部１５と設置面１６の間が反射スクリーンの厚みとなるよう設けられている。ハンドル３２を手前に引くことで、可動棒１９を前方に移動することにより、反射スクリーン３を脱着可能とし（図１１（ａ））、反射スクリーン３を設置後にハンドル３２を後方に押し込むことで可動棒１９背面方向に移動することにより、反射スクリーン３は設置面１６と密着する（図１０（ｂ））形態である。
【００４０】
フレーム１７や反射スクリーン接触部１５をはじめとする反射スクリーン密着機構１４は、強度が十分であれば特に材質は問わないが、映像源４から照射される映像光を反射してスクリーン面で反射する映像光の輝度に影響を及ぼさないように、反射防止の黒色塗料を塗る等の反射防止処理をすることで輝度測定の精度を向上することができる。
【００４１】
反射スクリーン接触部１５は、直接反射スクリーン３に接触することから、ゴムやウレタンエラストマー（ｅｌａｓｔｏｍｅｒ）のようなエントロピー弾性体を材料することが望ましい。反射スクリーン接触部１５をゴムやウレタンエラストマーのようなエントロピー弾性体とすることで反射スクリーン３の傷つきや、つぶれを防止し、輝度の測定に際して反射スクリーン３が不良となることを防止することができる。
【００４２】
また、図１、図６にしてしたように、反射スクリーン密着機構１４は上下方向に連なるように設けることが好ましい。上下方向に連なるとは、フレーム１７が上下方向に伸びている、若しくは、光学機能の測定冶具１と上下方向で固定されている様態である。短焦点型の映像源４においては、映像光は、上部または下部から大きな角度で照射されるため、反射スクリーン密着機構１４が横(左右)方向に連なって形成されると測定位置５がフレーム１７をはじめとする反射スクリーン密着機構１４の影となって正確な輝度の測定が困難となってしまう。また、測定位置５が、反射スクリーン密着機構１４の影となることを防ぐため、測定位置５に十分近接して設けることができなくなるため測定位置５においては、設置面１６と反射スクリーンの間に間隙ができてしまい正確な輝度の測定が阻害されるためである。
【００４３】
同様の理由で、反射スクリーン密着機構１４は測定位置５に対して、反射スクリーン３の中央Ｃ−Ｃとは反対側に設けられていることが好ましい。映像光は、パネルの中央Ｃ−Ｃ付近では左右方向にほぼ垂直に照射されているが、測定位置５が左右にずれるにしたかって左右方向の入射角が大きくなっていく、従って、測定位置５に対して反射スクリーン３の中央Ｃ−Ｃに近い方に設置した場合は、測定位置５がフレーム１７をはじめとする反射スクリーン密着機構１４の影となって正確な輝度の測定が困難となってしまう。また、測定位置５が、反射スクリーン密着機構１４の影となることを防ぐため、測定位置５に十分近接して設けることができなくなるため測定位置５においては、設置面１６と反射スクリーンの間に間隙ができてしまい正確な輝度の測定が阻害されるためである。
【００４４】
従って、図１に記載したように、測定位置５の縦の毎にフレーム１７を設けて反射スクリーン密着機構１４とすることが望ましい。しかし、反射スクリーンの剛性や、サイズのよって、設置面１６と反射スクリーン３との密着が十分に得られる場合には、図６に記載したように測定位置５ａ〜５ｃまたは５ｇ〜５ｉと測定位置５ｄ〜５ｆの中間にフレーム１７を設けて反射スクリーン密着機構１４としてもよい。
【００４５】
反射スクリーン密着機構１４の設置は、映像源４から前記反射スクリーン３へ照射される映像光の前記反射スクリーン３上で反射する映像光の輝度を測定する測定位置５の近傍である必要がある。ここで、輝度を測定する測定位置５の近傍に反射スクリーン密着機構１４を有するとは、反射スクリーン密着機構１４によって測定位置５において設置面１６と反射スクリーン３が密着ないし、密着に近い状態を維持可能な近さという意味である。具体的には反射スクリーン密着機構１４の特に反射スクリーン接触部１５と測定位置５の距離は、３０ｍｍ〜１００ｍｍさらに望ましくは３０ｍｍ〜５０ｍｍ以内であることが望ましい。反射スクリーン接触部１５と測定位置５の距離が近すぎると、測定位置５で反射する映像光の輝度は、反射スクリーン接触部１５の反射や散乱による影響を受けることとなる。また、反射スクリーン接触部１５と測定位置５の距離が離れすぎると、測定位置５において設置面１６と反射スクリーン３の間に間隙が生じて輝度の測定精度が落ちてしまう。
【００４６】
また、本実施形態の光学機能の測定冶具１は、反射スクリーン密着機構１４とは別に、反射スクリーン３を確実に保持するために、底辺あて部１３、及びスクリーン保持機構１２等を設けることができる。底辺あて部１３に反射スクリーン３の底辺を乗せることで、反射スクリーン３の位置を保持する役割を果たす。また、別途、反射スクリーン保持機構１２として、反射スクリーン密着機構１４と類似したクランプ機構を基板の周辺領域に設けることができる。このような底辺あて部１３、及びスクリーン保持機構１２等を設けることで、基板を支える力をより多くの点で分散することができ、基板と接触している点での圧力を弱めることで、つぶれや押し跡などが低減され、反射スクリーン３の不良の低減につながる。
【００４７】
＜評価＞
［輝度の測定］
図５に示すように、本実施形態に記載の反射スクリーン３の光学機能の測定冶具１を用いて各測定位置５での輝度測定をおこなった。暗室９環境下において、反射スクリーン３の下端から床面７までの寸法ｄ４＝０．６ｍであり、映像源４は映像光を投射する投射口が反射スクリーン３の左右方向中央から観察者８側にｄ１＝０．４４ｍ、反射スクリーン３の下辺から下方へｄ２＝０．２８ｍの位置に配置され、反射スクリーン３の中心となる測定位置５eへの映像光が画面上下方向において入射角６４度で入射する。映像源４から白色光を照射し、測定位置５を通り画面左右方向に平行な面内において、測定位置５に対してｄ５＝３．２ｍ離れた位置であって、測定位置５を通るスクリーン面の法線方向（正面方向）となす角度θ＝±８０°、±６０°、±４５°、±３０°、±２５°、±２０°、±１５°、±１０°、±５°、０°となる方向から、輝度計６（コニカミノルタ社製  ＬＳ−１１０）によって測定位置５eで反射する映像光の輝度を測定した。同様にして、測定位置５ａ〜５ｄ、５ｆ〜５ｉで反射する映像光の輝度の測定を行った。
【００４８】
［照度の測定］
映像源４から反射スクリーン３へ照射される映像光の照度として、映像源４から反射スクリーン３の測定位置５に照射される映像光の照度を測定した。まず暗室９環境にて下において光学機能の測定冶具１の設置面１６の下端から床面７までの寸法ｄ４＝０．６ｍであり、映像源４は映像光を投射する投射口が光学機能の測定冶具１の設置面１６の左右方向中央から観察者８側にｄ１＝０．４４ｍ、反射スクリーン３の下辺から下方へｄ２＝０．２８ｍの位置に配置され、光学機能の測定冶具１の設置面１６の中心となる測定位置５ｅへの映像光が画面上下方向において入射角６４度で入射する。照度計は、コニカミノルタ社製  デジタル照度計  Ｔ−１を用い、映像源は、サンヨー社製  プロジェクタ  ＰＤＧ−ＤＷＬ２５００Ｊを用いて反射スクリーン３上の測定位置５ｅに受光窓を設置して測定した。同様にして、測定位置５ａ〜５ｄ、５ｆ〜５ｉで反射する映像光の照度の測定を行った。
【００４９】
［ゲインの算出］
測定によって得られた画面左右方向の輝度分布から、画面左右方向におけるピークゲイン、１／２角αを算出した。ここで、ゲインとは、上述のように、反射スクリーンに対して、光（白色光）を映像源４から投射し、反射スクリーン３に光が入射す入射面での照度と、反射スクリーン３で反射されて反射スクリーン３から出射する光の輝度を、設置面１６の法線方向となす角度毎に測定し、以下に示す（式１）より求められる値である。ここでは、照度は、前述の測定位置５で入射される映像光の照度（照度計（コニカミノルタ社製  デジタル照度計  Ｔ−１）により測定）であり、輝度は、上述の測定で得られる輝度である。
Ｇ＝π×Ｋ／Ｉ  ・・・（式１）
この（式１）において、ゲインをＧ、円周率をπ、輝度をＫ（ｃｄ／ｍ2）、照度をＩ
（ｌｘ）で示している。そして、ピークゲインとは、得られたゲインの中でもっとも値が
高いものを指す。
【００５０】
本実施形態に記載の光学機能の測定冶具１（図１、図２）及び、従来の光学機能の測定冶具１’（図３、図４）にて同一の反射スクリーン３の測定を１０回繰返した。その結果、同一の測定位置５であっても、従来の光学機能の測定冶具１’での輝度は平均値に対して１０％〜１５％のバラつきを見せた。これに対して本実施形態に記載の光学機能の測定冶具１（図１、図２）による輝度の測定値は、平均値に対して５％以下のバラつきに収まり精度が高く、再現性の良い測定結果が得られた。
【００５１】
本実施形態に記載の光学機能の測定冶具１（図１、図２）により測定した輝度から算出したゲインも従来の測定結果から得られた値に比べ、観察者の観察に一致する値となっていた。
【産業上の利用可能性】
【００５２】
本発明の反射スクリーンの光学機能の測定冶具は、短焦点型の映像源の場合にとどまらず。精度の高い光学機能の測定冶具として、反射スクリーン一般の評価、測定の用途においても適用できる。
【符号の説明】
【００５３】
１    光学機能の測定冶具
１’  従来の光学機能の測定冶具
３    反射スクリーン
４    映像源
５    測定位置
６    輝度計
７    床面
８    観察者
９    暗室
１１  定盤
１２  スクリーン保持機構
１３  底辺あて部
１４  反射スクリーン密着機構
１５  反射スクリーン接触部
１６  設置面
１７  フレーム
１８  ネジ穴
１９  可動棒
２０  可動部
３１  トグルクランプ機構
３２  ハンドル
【図１】
2015200515.tif 000003
【図２】
2015200515.tif 000004
【図３】
2015200515.tif 000005
【図４】
2015200515.tif 000006
【図５】
2015200515.tif 000007
【図６】
2015200515.tif 000008
【図７】
2015200515.tif 000009
【図８】
2015200515.tif 000010
【図９】
2015200515.tif 000011
【図１０】
2015200515.tif 000012
【図１１】
2015200515.tif 000013
【図１２】
2015200515.tif 000014